【事件の表示】
　特許第２９２８５５３号「走査式光学装置」の特許に対する特許異議の申立てについて、次のとおり決定する。
【結　論】
　訂正を認める。
　特許第２９２８５５３号の特許を取り消す。
【理　由】
１．手続きの経緯
　本件特許第２９２８５５３号の出願は、平成１年８月３１日に出願され、平成１１年５月１４日にその設定登録がなされ、その後、旭光学工業株式会社より特許異議の申立てがなされ、取消理由通知がなされ、その指定期間内である平成１２年６月２７日に訂正請求がなされたものである。
　
２．訂正の適否についての判断
（１）訂正の内容
　訂正の内容は、特許請求の範囲の請求項１の、
「で与えられることを特徴とする走査式光学装置。」
を、
「で与えられ、
　前記単レンズは前記光源と前記単レンズを一体固定する第１の固定部材に弾性体を介して保持され、光軸方向においてこの弾性体と逆方向から前記単レンズを押圧する第２の固定部材により固定され、かつ前記弾性体により前記単レンズは前記第２の固定部材に対して押圧されることにより位置決め固定されることを特徴とする走査式光学装置。」
と訂正し、明細書第５頁第１２行〜第１３行の記載もこれに合わせて、
「で与えられることを特徴とする走査式光学装置が提供される。」
を、
「で与えられ、
　前記単レンズは前記光源と前記単レンズを一体固定する第１の固定部材に弾性体を介して保持され、光軸方向においてこの弾性体と逆方向から前記単レンズを押圧する第２の固定部材により固定され、かつ前記弾性体により前記単レンズは前記第２の固定部材に対して押圧されることにより位置決め固定されることを特徴とする走査式光学装置が提供される。」
と訂正するものである。
　
（２）訂正の目的の適否、新規事項の有無及び拡張・変更の存否
　上記訂正は、特許請求の範囲においては、請求項１に係る発明に「前記単レンズは前記光源と前記単レンズを一体固定する第１の固定部材に弾性体を介して保持され、光軸方向においてこの弾性体と逆方向から前記単レンズを押圧する第２の固定部材により固定され、かつ前記弾性体により前記単レンズは前記第２の固定部材に対して押圧されることにより位置決め固定される」という構成要件を付加して限定するものであるから、特許請求の範囲の減縮に該当し、明細書の第９頁第１３行〜第１０頁第１３行及び第２Ｂ図の記載に基づく訂正であるから、新規事項の追加には該当せず、実質的に特許請求の範囲を拡張・変更するものにも該当しない。
　また、明細書の訂正は、特許請求の範囲に整合するように訂正するものであるから、明りょうでない記載の釈明に該当し、新規事項の追加には該当せず、実質的に特許請求の範囲を拡張・変更するものにも該当しない。
　
（３）むすび
　以上のとおりであるから、本件訂正請求は、特許法第１２０条の４第２項及び同条第３項で準用する第１２６条第２項及び第３項の規定に適合するので、当該訂正を認める。
　
３．特許異議の申立てについて
（請求項に係る発明）
　本件特許第２９２８５５３号の請求項１に係る発明は、平成１２年６月２７日付けの訂正請求書により訂正された特許明細書及び図面の記載からみて、その特許請求の範囲の請求項１に記載されたとおりの、
「光源と、この光源からの光ビームを走査対象物の面上に集束させる光学部材と、この光ビームを走査対象物に対して走査する光偏向器を備えた走査式光学装置において、前記光源から光ビームを平行光或いは集束光にする非球面単レンズは、αｇを単レンズの材質における線膨張係数、ｎｌを前記単レンズの屈折率、ζｉを光源から単レンズの固定のための各部品の固定部から固定部までの距離、αｉを前記固定部材の膨張係数、ｆｌを単レンズの焦点距離、β１＝ｄｎ／ｄｔを温度変化による単レンズの屈折率の変化率、β２＝ｄｎ／ｄλを波長による単レンズの屈折率の変化率、β３＝ｄλ／ｄｔを温度変化による光源の発振波長の変化率、及び、ζ０を光源からレンズ前側主点までの距離とするとき、
で与えられ、
前記単レンズは前記光源と前記単レンズを一体固定する第１の固定部材に弾性体を介して保持され、光軸方向においてこの弾性体と逆方向から前記単レンズを押圧する第２の固定部材により固定され、かつ前記弾性体により前記単レンズは前記第２の固定部材に対して押圧されることにより位置決め固定されることを特徴とする走査式光学装置。」
と認める。
　なお、全文訂正明細書の特許請求の範囲には、β２は波長による単レンズの屈折率であると記載されているが、訂正事項の記載内容及び発明の詳細な説明中の記載から、β２は波長による単レンズの屈折率の変化率であると認められるので、上記のように認定した。
　
（１）特許法第２９条について
（引用例）
　これに対して、取消理由通知に引用した本件出願前公知である、特開昭６３−２４０５１２号公報（以下、引用例１という。）には、
「１．複数の光学素子から成る光学系、特にレンズ系をその各素子をホルダ内壁に固着して収納するホルダを具えた光学装置において、温度の関数として前記光学系の光学特性に変化を与える前記光学系の等価的な膨張係数であって、
・光学素子の材料の膨張係数、
・これら材料の屈折率及びそれらの温度変化、
・光学素子の寸法及び、
・当該光学装置を通る光ビームの波長の温度依存性
により決まる等価膨張係数を前記光学系の２個の外側の光学素子のホルダへの固着点間に位置するホルダ材料の膨張係数に等しくしたことを特徴とする光学装置。」（特許請求の範囲請求項１）、                    
「この光源ユニットは例えば光記録担体の情報面を光スポットで走査する装置に使用され、本発明は斯る走査装置にも関するものである。」（公報第３頁左下欄第４行〜第７行）、
「走査スポットは一定の大きさと、一定の強度分布を有するようにする必要がある。この目的のために、対物系の焦点面を情報面と常に一致させる必要があるだけでなく（これは種々の既知の方法で実現できる）、光源ユニットから到来し対物系に入射する光ビームを常に平行にすると共に一定の断面積にする必要もある。このことは、光源ユニットにおいて光源の放射面をコリメータレンズの物体焦点面と常に一致させる必要があることを意味する。」（公報第３頁右下欄第５行〜第１５行）、
「本発明は、波長が温度に依存するダイオードレーザより成る光源と物体側の焦点面を光源の光放射面と一致させる必要があるコリメータレンズとを有し、平行光ビームを生じる光源ユニットの形態で光学装置に用いるのが有利である。この光源ユニットにおいては、コリメータレンズを単レンズとし、温度の関数としてのコリメタレンズの前焦点距離の変化を与える等価の膨張係数をホルダ上での光源およびコリメータレンズの固着点間に存在するホルダ材料の膨張係数に等しくする。」（公報第４頁右下欄第１１行〜第２０行）、
「特に、光書込および／又は読取り装置に用いる為の光源ユニットにおいては、光源としてダイオードレーザを用いるのが好ましい。凸面が非球面をしている平凸レンズを用いる代りに、表面が非球面をしている或いは非球面をしていない両凸レンズを用いることもできる。」（公報第５頁左下欄第４行〜第９行）、
「螺旋状サーボトラックの全部は２つのスポットを半径方向に規定量移動させることによって走査する。書込み兼読取り装置には書込みビームＷＢ及び読取りビームＲＢを夫々供給する２個の光源ユニット１０及び１１を設ける。これらビームは例えば接線及び半径方向に調整自在の反射器１４により対物レンズ系１５に向けると共に対物レンズ系によって情報面で書込みビームＷＢを書込みスポットＷＳに集束すると共に読取りビームＲＢを読取りスポットに集束する。」（公報第６頁右下欄第１行〜第１１行）、
「本発明によれば、屈折率、膨張係数及び他のレンズパラメータを適宜選定してホルダの長さの変動を補償し得るようにする。」（公報第７頁左下欄第２０行〜右下欄第２行）、
「従って固着区域間の長さＬを有するホルダ部分の膨張ｄＬ／ｄＴ＝α２Ｌは上記変化ｄｆｔ／ｄＴに等しくする必要がある。α２はホルダ材料の膨張係数である。」（公報第７頁右下欄第１３行〜第１６行）と記載されており、
　公報第７頁右下欄第１７行〜第１０頁右下欄第５行にかけて、平凸レンズと両凸レンズを使用した場合における、温度変化による光学特性の影響を補償するための条件が検討され、
「レンズ材料の屈折率ｎ１は、そのレンズを通過する光の波長に依存する」（公報第８頁左下欄第５行〜第６行）、
「コリメータレンズが平凸レンズである場合には、その凸面は、球面収差を補正するため非球面プロフィールを有するようにすると好適である。」（公報第１０頁右下欄第６行〜第８行）、と記載されており、ＦＩＧ．２には、平凸の単レンズからなるコリメータレンズ３７及びダイオードレーザ３３とがホルダ３０によって保持されている状態を示す断面図が、ＦＩＧ．４には、ＦＩＧ．２示されたコリメータレンズ３７と置き換えられる両凸の単レンズからなるコリメータレンズ３７を示すレンズ図が記載されている。
　よって、引用例１には、
「波長が温度に依存するダイオードレーザより成る光源と、物体側の焦点面を光源の光放射面と一致させ、平行光ビームを生じさせる非球面単レンズのコリメータレンズとをホルダ内壁に固着して収納するホルダを具えた光源ユニットと、光源ユニットからのビームを対物レンズ系に向ける反射器とを具えた光記録担体の情報面を光スポットで走査する走査装置において、コリメータレンズの膨張係数・屈折率及びその温度依存性・波長依存性、ホルダ材料の寸法・膨張係数、レーザ波長の温度依存性等により決まる等価膨張係数を光源とコリメータレンズのホルダへの固着点間に位置するホルダ材料の膨張係数に等しくした走査装置」
の発明（以下、引用発明という。）が記載されている。
　同じく特開昭５９−１５２０６号公報（以下、引用例２という。）には、
「（１）レーザ発光要素より出射したレーザ光を、支持部材に固定した光学系に入射するレーザユニットにおいて、前記支持部材を第１支持部材と第２支持部材とで構成し、前記第１支持部材の一部に設けた固定部により第２支持部材を固定し、前記第２支持部材において前記固定部よりも前記レーザ発光要素側に前記光学系を固定したことを特徴とするレーザユニット。
（２）特許請求の範囲（１）に於いて、前記第１支持部材と、前記第２支持部材とを熱膨張係数の異なる材料で構成したことを特徴とするレーザユニット。」（特許請求の範囲）、
「本発明によるならば、温度変化に対するレーザ素子と光学系との距離の変動を少なく出来るので、所望の光束を容易に得ることが出来るものである。又、支持部材の長さ等にも制限を受けないので、ユニットの設計、製作も容易となるものである。」（公報第３頁左上欄第１８行〜右上欄第３行）と記載されている。
　
（対比）
　本件の請求項１に係る発明（以下、本件発明という。）と引用発明とを対比すると、引用発明における、「対物レンズ系」、「反射器」、「走査装置」及び「コリメータレンズ」は、本件発明における、「光学部材」、「光偏向器」、「走査式光学装置」及び「非球面単レンズ」に相当するから、両者は、
「光源と、この光源からの光ビームを走査対象物の面上に集束させる光学部材と、この光ビームを走査対象物に対して走査する光偏向器を備えた走査式光学装置において、前記光源から光ビームを平行光或いは集束光にする非球面単レンズを有する走査式光学装置」
である点で一致しており、
ａ．非球面単レンズが、本件発明では、「αｇを単レンズの材質における線膨張係数、ｎｌを前記単レンズの屈折率、ζｉを光源から単レンズの固定のための各部品の固定部から固定部までの距離、αｉを前記固定部材の膨張係数、ｆｌを単レンズの焦点距離、β１＝ｄｎ／ｄｔを温度変化による単レンズの屈折率の変化率、β２＝ｄｎ／ｄλを波長による単レンズの屈折率の変化率、β３＝ｄλ／ｄｔを温度変化による光源の発振波長の変化率、及び、ζ０を光源からレンズ前側主点までの距離とするとき、
で与えられ」るのに対し、引用発明では、該条件式は記載されていない点、
ｂ．本件発明では、「前記単レンズは前記光源と前記単レンズを一体固定する第１の固定部材に弾性体を介して保持され、光軸方向においてこの弾性体と逆方向から前記単レンズを押圧する第２の固定部材により固定され、かつ前記弾性体により前記単レンズは前記第２の固定部材に対して押圧されることにより位置決め固定される」のに対して、引用発明では、このような位置決め固定手段を具備していない点、
で相違している。
　
（当審の判断）
　上記各相違点について検討する。
ａ．相違点ａについて
　本件発明において、上記条件式は、半導体レーザ素子からの光ビームを平行にするためのコリメートレンズに非球面ガラス単レンズを用いているにも拘わらず、温度変化による単レンズの焦平面の位置を一定に保つための条件式であるが、引用例１においても、同じ構成の下に、光源の放射面をコリメータレンズの物体焦点面と常に一致させるべく、温度の関数としてのコリメータレンズの前焦点距離の変化を与える等価の膨張係数をホルダ材料の膨張係数に等しくすることが記載されており、また、そのための、レンズの物体焦点距離、レンズ材料の線膨張係数、レンズ材料の屈折率、光源とレンズ間のホルダ材料の線膨張係数、光源とレンズ間のホルダの長さ、波長変化に対するレンズの屈折率の偏導関数、温度変化に対する光源の発振波長の偏導関数及び温度変化に対するレンズの屈折率の偏導関数などのパラメータに対する条件式が記載されている。
　そして、両者の条件式は、同一の課題を解決するための条件式であり、本件発明の条件式が引用例１に記載された条件式と比較して格別の意義があるとすることはできず、また、走査式光学装置において、温度変化に対するレーザ素子と光学系との距離の変動を少なくするために、光学系を支持する部材を熱膨張係数の異なる複数の部材で構成することは、引用例２に記載されているように公知であるから、相違点ａは、引用例１の記載事項及び引用例２に記載された公知技術に基づいて、当業者が容易に想到し得たものと認められる。
　
ｂ．相違点ｂについて
　光源と単レンズを一体固定する際に、相違点ｂの如く構成することは周知であり（必要ならば特開昭６３−２７６２８８号公報、特開昭６３−２８７９７６号公報参照）、該周知技術を引用発明に適用することに何ら困難性があるとは認められないから、相違点ｂは、当業者が容易に想到できるものである。
　
（結論）
　よって、本件発明は、引用発明及び公知・周知技術に基づいて、当業者が容易に発明をすることができたものである。
　
（２）特許法第３６条について
　本件明細書の請求項１に記載されている条件式は、発明の詳細な説明中に記載されている条件式（８）とも、その下のΔζ０＜１／６０００ζ０２とも一致しないものであり、また、条件式（８）の導出過程において、誤記や式の省略があるから、条件式の根拠が明細書に記載されていない。
　そして、平成１２年６月２７日付けの特許異議意見書を参照しても、式（Ｆ）以降、（８）式を導出する過程が不明であり、依然として条件式（８）が正しく導かれたものであるか否かが不明であり、特許請求の範囲に、特許を受けようとする発明の構成に欠くことができない事項のみを記載しているとは認められないし、発明の詳細な説明に、当業者が容易にその発明の実施をすることができる程度に記載されているとも認められない。
　よって、本件明細書は、特許法第３６条第３項並びに第４項及び第５項に規定する要件を満足しないものである、
　
４．むすび
  以上のとおり、本件の請求項１に係る発明についての特許は、拒絶の査定をしなければならない特許出願に対してなされたものであるから、特許法等の一部を改正する法律（平成６年法律第１１６号）附則第１４条の規定に基づく、特許法等の一部を改正する法律の一部の施行に伴う経過措置を定める政令（平成７年政令第２０５号）第４条第１項及び第２項の規定により、結論のとおり決定する。
【異議決定日】
平成１２年８月２３日（２０００．８．２３）
【訂正の要旨】
１．訂正事項１
　特許請求の範囲の請求項１の、
「光源と、この光源からの光ビームを走査対象物の面上に集束させる光学部材と、この光ビームを走査対象物に対して走査する光偏向器を備えた走査式光学装置において、前記光源から光ビームを平行光或いは集束光にする非球面単レンズは、αｇを単レンズの材質における線膨張係数、ｎｌを前記単レンズの屈折率、ζｉを光源から単レンズの固定のための各部品の固定部から固定部までの距離、αｉを前記固定部材の膨張係数、ｆｌを単レンズの焦点距離、β１＝ｄｎ／ｄｔを温度変化による単レンズの屈折率の変化率、β２＝ｄｎ／ｄλを波長による単レンズの屈折率の変化率、β３＝ｄλ／ｄｔを温度変化による光源の発振波長の変化率、及び、ζ０を光源からレンズ前側主点までの距離とするとき、
で与えられることを特徴とする走査式光学装置。」
を、
「光源と、この光源からの光ビームを走査対象物の面上に集束させる光学部材と、この光ビームを走査対象物に対して走査する光偏向器を備えた走査式光学装置において、前記光源から光ビームを平行光或いは集束光にする非球面単レンズは、αｇを単レンズの材質における線膨張係数、ｎｌを前記単レンズの屈折率、ζｉを光源から単レンズの固定のための各部品の固定部から固定部までの距離、αｉを前記固定部材の膨張係数、ｆｌを単レンズの焦点距離、β１＝ｄｎ／ｄｔを温度変化による単レンズの屈折率の変化率、β２＝ｄｎ／ｄλを波長による単レンズの屈折率の変化率、β３＝ｄλ／ｄｔを温度変化による光源の発振波長の変化率、
及び、ζ０を光源からレンズ前側主点までの距離とするとき、
で与えられ、
前記単レンズは前記光源と前記単レンズを一体固定する第１の固定部材に弾性体を介して保持され、光軸方向においてこの弾性体と逆方向から前記単レンズを押圧する第２の固定部材により固定され、かつ前記弾性体により前記単レンズは前記第２の固定部材に対して押圧されることにより位置決め固定されることを特徴とする走査式光学装置。」
と訂正する。
２．訂正事項２
　明細書第５頁第１２行〜第１３行の記載、
「光源と、この光源からの光ビームを走査対象物の面上に集束させる光学部材と、この光ビームを走査対象物に対して走査する光偏向器を備えた走査式光学装置において、前記光源から光ビームを平行光或いは集束光にする非球面単レンズは、αｇを単レンズの材質における線膨張係数、ｎｌを前記単レンズの屈折率、ζｉを光源から単レンズの固定のための各部品の固定部から固定部までの距離、αｉを前記固定部材の膨張係数、ｆｌを単レンズの焦点距離、β１＝ｄｎ／ｄｔを温度変化による単レンズの屈折率の変化率、β２＝ｄｎ／ｄλを波長による単レンズの屈折率の変化率、β３＝ｄλ／ｄｔを温度変化による光源の発振波長の変化率、及び、ζ０を光源からレンズ前側主点までの距離とするとき、
で与えられることを特徴とする走査式光学装置が提供される。」
を、
「光源と、この光源からの光ビームを走査対象物の面上に集束させる光学部材と、この光ビームを走査対象物に対して走査する光偏向器を備えた走査式光学装置において、前記光源から光ビームを平行光或いは集束光にする非球面単レンズは、αｇを単レンズの材質における線膨張係数、ｎｌを前記単レンズの屈折率、ζｉを光源から単レンズの固定のための各部品の固定部から固定部までの距離、αｉを前記固定部材の膨張係数、ｆｌを単レンズの焦点距離、β１＝ｄｎ／ｄｔを温度変化による単レンズの屈折率の変化率、β２＝ｄｎ／ｄλを波長による単レンズの屈折率の変化率、β３＝ｄλ／ｄｔを温度変化による光源の発振波長の変化率、及び、ζ０を光源からレンズ前側主点までの距離とするとき、
で与えられ、
前記単レンズは前記光源と前記単レンズを一体固定する第１の固定部材に弾性体を介して保持され、光軸方向においてこの弾性体と逆方向から前記単レンズを押圧する第２の固定部材により固定され、かつ前記弾性体により前記単レンズは前記第２の固定部材に対して押圧されることにより位置決め固定されることを特徴とする走査式光学装置が提供される。」
と訂正する。
（５４）【発明の名称】
走査式光学装置
（５７）【特許請求の範囲】
　光源と、この光源からの光ビームを走査対象物の面上に集束させる光学部材と、この光ビームを走査対象物に対して走査する光偏向器を備えた走査式光学装置において、
　前記光源からの光ビームを並行光或いは集束光にする非球面単レンズは、αｇを単レンズの材質における線膨張係数、ｎ１を前記単レンズの屈折率、ζｉを光源から単レンズの固定のための各部品の固定部から固定部までの距離、αｉを前記固定部材の線膨張係数、ｆ１を単レンズの焦点距離、β１＝ｄｎ／ｄｔを温度変化による単レンズの屈折率の変化率、β２＝ｄｎ／ｄλを波長による単レンズの屈折率、β３＝ｄλ／ｄｔを温度変化による光源の発振波長の変化率、及び、ζ０を光源からレンズ前側主点までの距離とするとき、
で与えられ
、
前記単レンズは前記光源と前記単レンズを一体固定する第１の固定部材に弾性体を介して保持され、光軸方向においてこの弾性体と逆方向から前記単レンズを押圧する第２の固定部材により固定され、かつ前記弾性体により前記単レンズは前記第２の固定部材に対して押圧されることにより位置決め固定されることを特徴とする走査式光学装置。
【発明の詳細な説明】
　［発明の目的］
　　　（産業上の利用分野）
　この発明はレーザプリンタ等の装置に用いられる走査式光学装置、特に、半導体レーザ素子からの光ビームを、レンズ群および光偏向器を介して走査対象物へ導く結像光学装置の改良に関する。
　　　（従来の技術）
　一般に、レーザプリンタなどの装置に組込まれる走査式光学装置においては、光源からの光ビームは第一結像光学系（レンズ群）によって集束され、その集束された光ビームは光偏向器によって反射され、第二結像光学系（ｆθレンズなど）を介して感光体などの走査対象物に対して等速度で走査される。
　第一結像光学系では、飛球面ガラスレンズ、プラスチックレンズなどが組合されて構成され、発散性である光ビームが並行光或いは集束光に変換される。
　光偏向器は、所定の方向に回転する回転多面鏡であって、前記光ビームは回転多面鏡によって走査対象物に向かって反射され、これによって、走査対象物の面上即ち感光体の表面が光ビームによって走査される。
　第二結像光学系は、ｆθレンズなどで構成され、回転多面鏡と走査対象物の間に配置されて回転多面鏡によって反射された光ビームを感光体に結像させている。
　前記第一結像用光学系では、レンズ系特有の多くの収差や、温度変化または湿度変化による半導体レーザ素子の発振波長の変化、レンズの屈折率変化、レンズ自身の熱膨張などによって特性の変化が生じるため、様々な付加的補正方法が考案され用途に応じて単独でまたは組み合わせて施されている。即ち、レーザビームプリンタなどに用いられている光源においては、半導体レーザ素子からの光ビームを平行にするためのコリメートレンズを外部に設けられたレンズ駆動手段によって移動させることで焦点補正がなされている。
　　　（発明が解決しようとする課題）
　上述のようにこれまでは、半導体レーザ素子からの光ビームを平行にするためのコリメートレンズには、機械的或いは電気的な焦点補正がなされているが、走査式光学装置のような反射光のフィードバックが不可能な場合においては、その補正が非常に複雑であり、また、レンズ群としても一枚非球面レンズのような簡単な構成を採ることができないという問題がある。
　　［発明の構成］
　　　（課題を解決するための手段）
　この発明は、上述問題点に基づき成されたもので、光源と、この光源からの光ビームを走査対象物の面上に集束させる光学部材と、この光ビームを走査対象物に対して走査する光偏向器を備えた走査式光学装置において、前記光源からの光ビームを平行光或いは集束光にする非球面単レンズは、αｇを単レンズの材質における線膨張係数、ｎ１を前記単レンズの屈折率、ζｉを光源から単レンズの固定のための各部品の固定部から固定部までの距離、αｉを前記固定部材の線膨張係数、ｆ１を単レンズの焦点距離、β１＝ｄｎ／ｄｔを温度変化による単レンズの屈折率の変化率、β２＝ｄｎ／ｄλを波長による単レンズの屈折率の変化率、β３＝ｄλ／ｄｔを温度変化による光源の発振波長の変化率、及び、ζ０を光源からレンズ前側主点までの距離とするとき、
で与えられ、
記単レンズは前記光源と前記単レンズを一体固定する第１の固定部材に弾性体を介して保持され、光軸方向においてこの弾性体と逆方向から前記単レンズを押圧する第２の固定部材により固定され、かつ前記弾性体により前記単レンズは前記第２の固定部材に対して押圧されることにより位置決め固定されることを特徴とする走査式光学装置
　　　（作用）
　この発明によれば、環境の変動等による焦点距離の変動を、レンズ構成のみでは補正することが出来ない単レンズの焦平面を一定に保つことができ、単レンズによる有限レンズ、コリメータレンズ等のパワーの大きなレンズを単玉化することができる。
　　　（実施例）
　図面を用いて以下にこの発明の実施例を説明する。
　第１Ａ図および第１Ｂ図には、この発明の折り返しミラー、鏡筒及びハウジングを省略したレーザプリンタなどに用いられる光学装置の展開図が示されている。第１Ａ図は平面図、第１Ｂ図は、副走査方向における偏向角０°の状態を示す断面図である。この光学装置は、半導体レーザ素子２、有限レンズ４と前記第１プラスチックレンズ１２及び防塵ガラス１４からなる第二結像光学系、前記有限レンズ４と前記第１プラスチックレンズ６の間に配置される絞り３０、第一結像光学系と第二光学系の間に配置される偏向反射鏡１０及び水平同期検出用反射ミラー１８を備えている。
　半導体レーザ素子２（以下ＬＤとする）から放射された光ビームは、１枚の非球面ガラスレンズである有限レンズ４によって集束光或いは平行光にされ、絞り３０によって所定のビームスポットに制限されて、主走査方向へは負のパワーを有し副走査方向へは僅かに正のパワーを有する第１プラスチックレンズ６へ導かれる。レンズ６を通過した光ビームは、主走査方向へは平行光に副走査方向へは集束光にされ、主走査方向へは正のパワーを有し副走査方向へは負のパワーを有する第２プラスチックレンズ８へ導かれる。レンズ８を通過した光ビームは、主走査方向及び副走査方向ともに集束光にされて、主走査方向の断面が凸で内接円半径Ｒの円筒面の一部を鏡面として有する回転多面鏡である偏向反射鏡１０へ導かれる。回転多面鏡１０へ導かれた光ビームは、第２結像光学系の面倒れを補正する一種のｆθレンズである第３プラスチックレンズ１２へ向かって反射される。レンズ１２を通過した光ビームは、光学系ハウジング（図示しない）内のレンズなどを密閉するための防塵ガラス１４を介して、情報記録媒体即ち感光体１６へ導かれる。レンズ１２は、主走査方向へ反射面の回転角θに対して像高を比例させたｈ＝ｆθを満たす形状が、副走査方向へは主走査方向への偏向角が大きくなるに連れてパワーが小さくなる曲率が与えられた一種のｆθレンズであって、主走査方向では前記光ビームの像面湾曲の影響を低減し歪曲収差を適切な値にし、副走査方向では前記光ビームが感光体１６に照射される際の感光体のすべての面上における面倒れ補正面を一致させる。尚、レンズ４は光学ガラスＢＫ７によって製造され、鏡筒及び押え部材への取付用フランジを備えている。レンズ６、８、１２はガラス製ではなく、プラスチック例えば、ＰＭＭＡ（ポリメチルメタクリル）によって製造され、同様にハウジングへの取付用フランジがその周囲に形成され、位置決め用の突起又は凹みが主走査方向のほぼ中心に形成されている。
　回転多面鏡１０は、ダイレクトベアリング２４を備えたアキシャルギャップ型のスキャナモータ２２のロータ上に配置され、止め輪２８によって固定されて所定の方向に回転される。
　感光体１６は図示しない他の駆動源によって駆動され所定の方向に回転し、その外周面に画像が露光される。この感光体１６に露光された画像は、図示しない顕像手段によって現像され転写用材料に転写される。また、一種のｆθレンズ１２を通過した光ビームの一部は、主走査方向におけるスキャン毎に水平同期検出用反射ミラー１８へ導かれ、同期信号検出器２０へ向かって反射されて水平同期が検出される。
　第２Ａ図は、第１Ａ図及び第１Ｂ図に示した走査式光学装置に用いられる鏡筒部分（図示しない）の側面図、第２Ｂ図は第２Ａ図の線Ａ−Ａにおける断面図である。第２Ａ図及び第２Ｂ図には、ＬＤ２、レンズ４及び絞り３０を固定する構造が示されている。
　ＬＤ２は、ねじ４０によってＬＤホルダ３２に固定されている。レンズ４は、ウェーブワッシャ３６を介して押え部材３８によって鏡筒３４へ固定されている。このレンズ４は、押え部材３８が回転されることで矢印Ｂの方向の所定の位置に配置される。また、レンズ４は凸状のフランジを有し押え部材３８とは線接触するので、押え部材３８を回転するためのトルクは小さくできる。押え部材３８は、その長さ方向に円筒部とねじ部を有し、円筒状によって光軸に対して押え部材自身が傾くことを防止するとともに、レンズ４が傾くことを防止している。この押え部材３８は、専用工具のための穴４６を有し、この穴４６に工具が挿入されて回転されることでレンズ４が締付けられる。また、この押え部材のねじ部は、弾性体（ウェーブワッシャ）３６によって常にレンズと反対の方向へ力を受けるので、ねじ部のねじ山の隙間によってガタが生じることが防止できる。絞り３０は、鏡筒３４におけるレンズ４の後側焦点の位置に接着によって固定されている。ＬＤホルダ３２は、鏡筒３４に対して矢印Ｃ或いはＤの方向に任意に調整可能で、ＬＤ２から放射される光ビームの光軸調整を可能にしている。
　第２Ｂ図において、αｇを単レンズ４の線膨張係数、ζｉ即ちζ１〜ζ３を光源２から単レンズ４までの間の各部品の固定部から固定部までの距離、αｉ即ちα１〜α３を前記固定部材間距離ζ１〜ζ３の線膨張係数、ｆ１を単レンズ４の焦点距離、β１＝ｄｎ／ｄｔを温度変化による単レンズの屈折率の変化率、β２＝ｄｎ／ｄλを波長による単レンズの屈折率の変化率、β３＝ｄλ／ｄｔを温度変化による光源の発振波長の変化率、及び、ζ０を光源からレンズ前側主点までの距離とするとき焦点距離ｆ１は、
で示される。ここで（１）式を温度ｔで微分すると
また、
が得られる。一方、焦点距離ｆ１及びζ０がそれぞれ△ｆ１、△ζ０変化した場合の像面の位置が変動しない条件は、
で与えられ、上記（４）式を整理すると
となる。ここで、△ｆ１、△ζ１はそれぞれｆ１及びζ０と比べ十分に小さいので（５）式は
　　　　△ｆ１／ｆ１２＝△ζ０／ζ０２　　　　　　　　　　　　　…（６）
と現せる。よって、（６）式を変形した
　△ζ０＝ζ０２・ｆ１／ｆ１２
　　　　＝ζ０２／ｆ１　　　　　　　　　　　　　　　　　　　…（７）
によって、像面が変動しない条件が求められる。
　したがって、（２）及び（３）式を（７）式に代入することで
が得られる。
　実験によれば、（８）式が
　△ζ０＜１／６０００ζ０２
を満たす場合に良好な結果が得られることが認められる。
　この実験例においては、
　ｆ１＝１１．０２４９ｍｍ、
　ｓ１０＝１２．５６９１ｍｍ、．
　β１＝１．５３×１０−６／℃、
　β２＝−２．０６×１０−５／ｎｍ、
　β３＝０．２ｎｍ／℃、
　ｎ−１＝１．５１１０８３、
　αｇ＝９×１０−６／℃、
　α１＝α２＝２．３６×１０−５、
　α３＝２．７４×１０−５、
　ζ１＝２．５、
　ζ２＝２１．１８、
　ζ３＝−１１．　６８、
　の数値で計算すると、（８）式を満たすことが確認されている。
　第３図には、絞り３０をレンズ４の後側焦点位置に配置する理由が示されている。第３図には、ＬＤ２の発光点が仮想的に符号４８、４８’で示されている。絞り３０がレンズ４の後側焦点位置よりも離れた位置、例えば、一点鎖線３０’で示される位置に配置されたならば、ＬＤ２の僅かなズレ即ち発光点４８が４８’にズレることによって、光ビームの光量が大きく変化してしまう。第３図に示された位置では、光量は、約１／２になる。従って、絞り３０をレンズ４の後側焦点位置に配置することで、ＬＤ２から放射される光ビームの光軸調整時に、光量がばらつくことを防ぐことができる。上述のように、レンズ４は簡単な構造の押付け部材によって所定の位置に配置されるとともに、確実にしかも精度よく鏡筒３４に固定される。
　　（効果）
　この発明によれば、半導体レーザ素子からの光ビームを平行にするためのこりメートレンズにおいて非球面ガラス単レンズを用いるにも拘わらず、機械的或いは電気的な補正なしで温度及び湿度の変化による影響を受けない走査式光学装置が提供される。
【図面の簡単な説明】
　第１Ａ図は、この発明の折り返しミラー、鏡筒及びハウジングを省略したレーザプリンタなどに用いられる光学装置の副走査方向における偏向角０°の状態を示す断面図、第２Ａ図は、ＬＤ２、レンズ４及び絞り３０を固定する構造を示す側面図、第２Ｂ図は、第２Ａ図に示した鏡筒の線Ａ−Ａにおける断面図、第３図は、絞り３０をレンズ４の後側焦点位置に配置する理由を示す概略図である。
　２…半導体レーザ素子、４…ガラスレンズ、６…第１プラスチックレンズ、８…第２プラスチックレンズ、１０…回転多面鏡、１２…第３プラスチックレンズ、１４…防塵ガラス、１６…感光体、３０…絞り。３２…ＬＤホルダ、３４…鏡筒、３６…ウェーブワッシャ、３８…押え部材